(57)【要約】【課題】携帯無線機の状態に依らず、高いアンテナ性能を得ること。【解決手段】本発明の携帯無線機は、第１の筐体と、第２の筐体と、前記第１の筐体内に設けられた第１の回路基板と、前記第２の筐体内に設けられた第２の回路基板と、前記第１の筐体と前記第２の筐体とを第１の軸芯で回動自在に連結する第１のヒンジ部と、前記第１の筐体と前記第２の筐体とを前記第１の軸芯と直交する第２の軸芯で回動自在に連結する第２のヒンジ部と、前記第１の回路基板において、前記第１のヒンジ部および第２のヒンジ部から第２の軸芯方向に離間した端部側に接続された第１のアンテナ素子と、前記第２の回路基板において、前記第１のヒンジ部および第２のヒンジ部に第２の軸芯方向で近接した端部側に接続された第２のアンテナ素子と、を備える。【選択図】図２
2010273332.tif 000002
【特許請求の範囲】
【請求項１】
第１の筐体と、
第２の筐体と、
前記第１の筐体内に設けられた第１の回路基板と、
前記第２の筐体内に設けられた第２の回路基板と、
前記第１の筐体と前記第２の筐体とを第１の軸芯で回動自在に連結する第１のヒンジ部と、
前記第１の筐体と前記第２の筐体とを前記第１の軸芯と直交する第２の軸芯で回動自在に連結する第２のヒンジ部と、
前記第１の回路基板において、前記第１のヒンジ部および前記第２のヒンジ部から第２の軸芯方向に離間した端部側に接続された第１のアンテナ素子と、
前記第２の回路基板において、前記第１のヒンジ部および前記第２のヒンジ部に第２の軸芯方向で近接した端部側に接続された第２のアンテナ素子と、
を備えた携帯無線機。
【請求項２】
請求項１に記載の携帯無線機であって、
前記第２のヒンジ部は、前記第１の軸芯方向の一方の端部に設けられている携帯無線機。
【請求項３】
請求項２に記載の携帯無線機であって、
前記第１のアンテナ素子及び前記第２のアンテナ素子は、前記第１の回路基板及び前記第２の回路基板において、前記第１の軸芯方向の他方の端部に設けられている携帯無線機。
【請求項４】
請求項１乃至請求項３のいずれか１項に記載の携帯無線機であって、
前記第１のアンテナ素子と前記第２のアンテナ素子とは、直交して配置されている携帯無線機。
【請求項５】
請求項１乃至請求項４のいずれか１項に記載の携帯無線機であって、
前記第１のヒンジ部及び前記第２のヒンジ部は、導電性部材からなり、
前記第１のヒンジ部及び前記第２のヒンジ部は、前記第２のアンテナ素子の一部である携帯無線機。
【請求項６】
第１の筐体と、
第２の筐体と、
前記第１の筐体内に設けられた第１の回路基板と、
前記第２の筐体内に設けられた第２の回路基板と、
前記第１の筐体と前記第２の筐体とを第１の軸芯で回動自在に連結する第１のヒンジ部と、
前記第１の筐体と前記第２の筐体とを前記第１の軸芯と直交する第２の軸芯で回動自在に連結する第２のヒンジ部と、
を備え、
前記第２のヒンジ部は、前記第１の軸芯方向の一方の端部に設けられ、
前記第１の回路基板において、前記第１の軸心と直交する辺上であって前記第２のヒンジ部から前記第１の軸心方向に離間した側に接続された第１のアンテナ素子と、
前記第２の回路基板において、前記第１の軸心と直交する辺上であって前記第２のヒンジ部に前記第１の軸心方向で近接した側に接続された第２のアンテナ素子と、
を備えた携帯無線機。
【発明の詳細な説明】
【技術分野】
【０００１】
本発明は、携帯無線機に関し、とくに筐体が折り畳み可能な構造を持つ携帯無線機に関する。
【背景技術】
【０００２】
従来例１として、特許文献１では、２つ折り携帯無線装置の一方の筐体と他方の筐体のそれぞれにアンテナを配置して、そのアンテナ間の距離を、携帯無線装置が開いた状態の時には、（λ／４）×ｍ（但し、ｍは自然数）に設定し、携帯無線装置が閉じた状態の時には、（λ／４）×ｎ（但し、ｎは自然数）と設定することで、ダイバーシチ効果を得ることが開示されている。
【０００３】
従来例２として、特許文献２では、パーソナルコンピュータを構成する２つの筐体のうち、表示画面を備える一方の筐体の上部と側部に、互いに直交する無線LAN用アンテナを
設けることで、偏波ダイバーシチ効果を得ることが開示されている。
【先行技術文献】
【特許文献】
【０００４】
【特許文献１】特開２０００−０７８０５０号公報
【特許文献２】特開２００７−０７４４４６号公報
【発明の概要】
【発明が解決しようとする課題】
【０００５】
しかし、上述した従来例のアンテナ配置を、縦方向及び横方向の２方向に開閉できる構成を持つ折り畳み可能な携帯電話機に適用すると、携帯電話機の状態（縦開き、横開き、閉じ状態）によっては、所望のアンテナ性能を得ることができない。
【０００６】
本発明の目的は、携帯無線機の状態に依らず、高いアンテナ性能を得ることができる携帯無線機を提供することである。
【課題を解決するための手段】
【０００７】
本発明は、第１の筐体と、第２の筐体と、前記第１の筐体内に設けられた第１の回路基板と、前記第２の筐体内に設けられた第２の回路基板と、前記第１の筐体と前記第２の筐体とを第１の軸芯で回動自在に連結する第１のヒンジ部と、前記第１の筐体と前記第２の筐体とを前記第１の軸芯と直交する第２の軸芯で回動自在に連結する第２のヒンジ部と、前記第１の回路基板において、前記第１のヒンジ部および前記第２のヒンジ部から第２の軸芯方向に離間した端部側に接続された第１のアンテナ素子と、前記第２の回路基板において、前記第１のヒンジ部および前記第２のヒンジ部に第２の軸芯方向で近接した端部側に接続された第２のアンテナ素子と、を備えた携帯無線機を提供する。
【０００８】
上記携帯無線機では、前記第２のヒンジ部は、前記第１の軸芯方向の一方の端部に設けられている。
【０００９】
上記携帯無線機では、前記第１のアンテナ素子及び前記第２のアンテナ素子は、前記第１の回路基板及び前記第２の回路基板において、前記第１の軸芯方向の他方の端部に設けられている。
【００１０】
上記携帯無線機では、前記第１のアンテナ素子と前記第２のアンテナ素子とは、直交して配置されている。
【００１１】
上記携帯無線機では、前記第１のヒンジ部及び前記第２のヒンジ部は、導電性部材からなり、前記第１のヒンジ部及び前記第２のヒンジ部は、前記第２のアンテナ素子の一部である。
【００１２】
また、本発明は、第１の筐体と、第２の筐体と、前記第１の筐体内に設けられた第１の回路基板と、前記第２の筐体内に設けられた第２の回路基板と、前記第１の筐体と前記第２の筐体とを第１の軸芯で回動自在に連結する第１のヒンジ部と、前記第１の筐体と前記第２の筐体とを前記第１の軸芯と直交する第２の軸芯で回動自在に連結する第２のヒンジ部と、を備え、前記第２のヒンジ部は、前記第１の軸芯方向の一方の端部に設けられ、前記第１の回路基板において、前記第１の軸心と直交する辺上であって前記第２のヒンジ部から前記第１の軸心方向に離間した側に接続された第１のアンテナ素子と、前記第２の回路基板において、前記第１の軸心と直交する辺上であって前記第２のヒンジ部に前記第１の軸心方向で近接した側に接続された第２のアンテナ素子と、を備えた携帯無線機を提供する。
【発明の効果】
【００１３】
本発明に係る携帯無線機によれば、携帯無線機の状態に依らず、高いアンテナ性能を得ることができる。
【図面の簡単な説明】
【００１４】
【図１】携帯電話機１００の全体構成を説明するための図である。
【図２】携帯電話機１００の各状態におけるアンテナ素子の配置例（１）を示し、図２（ａ）は、縦開き状態でのアンテナ素子の配置、図２（ｂ）は、閉じ状態でのアンテナ素子の配置、図２（ｃ）は、横開き状態でのアンテナ素子の配置を示す。
【図３】携帯電話機１００の各状態におけるアンテナ素子の配置例（２）を示し、図３（ａ）は、縦開き状態でのアンテナ素子の配置、図３（ｂ）は、閉じ状態でのアンテナ素子の配置、図３（ｃ）は、横開き状態でのアンテナ素子の配置を示す。
【図４】携帯電話機１００の各状態におけるアンテナ素子の配置例（３）を示し、図４（ａ）は、縦開き状態でのアンテナ素子の配置、図４（ｂ）は、閉じ状態でのアンテナ素子の配置、図４（ｃ）は、横開き状態でのアンテナ素子の配置を示す。
【図５】携帯電話機１００の各状態におけるアンテナ素子の配置例（４）を示し、図５（ａ）は、縦開き状態でのアンテナ素子の配置、図５（ｂ）は、閉じ状態でのアンテナ素子の配置、図５（ｃ）は、横開き状態でのアンテナ素子の配置を示す。
【図６】携帯電話機２００の各状態におけるアンテナ素子の配置例を示し、図６（ａ）は、縦開き状態でのアンテナ素子の配置、図６（ｂ）は、閉じ状態でのアンテナ素子の配置、図６（ｃ）は、横開き状態でのアンテナ素子の配置を示す。
【図７】携帯電話機３００の各状態におけるアンテナ素子の配置例を示し、図７（ａ）は、縦開き状態でのアンテナ素子の配置、図７（ｂ）は、閉じ状態でのアンテナ素子の配置、図７（ｃ）は、横開き状態でのアンテナ素子の配置を示す。
【図８】携帯電話機４００の各状態におけるアンテナ素子の配置例を示し、図８（ａ）は、縦開き状態でのアンテナ素子の配置、図８（ｂ）は、閉じ状態でのアンテナ素子の配置、図８（ｃ）は、横開き状態でのアンテナ素子の配置を示す。
【発明を実施するための形態】
【００１５】
以下、本発明の実施形態について、図面を参照して説明する。
【００１６】
本実施形態の携帯無線機の一例として、携帯電話機について、以下詳細に説明する。
図１を参照して、携帯電話機１００の構成について説明する。図１は、携帯電話機１００の全体構成を説明するための図である。
折り畳み式携帯電話機１００（以下、携帯電話機１００という）は、第１の筐体１０２と、第２の筐体１０１と、第１の筐体１０２及び第２の筐体１０１を連結した連結部１０３と、を備える。
【００１７】
携帯電話機１００は、第１の筐体１０２および第２の筐体１０１が互いに重なり合う閉じ状態と、閉じ状態から第１回動軸１３１を中心として、第１の筐体１０２に対して第２の筐体１０１および連結部１０３が一体的に回動することによる縦開き状態と、閉じ状態から第２回動軸１３２を中心として第１の筐体１０２および連結部１０３に対して第２の筐体１０１が回動することによる横開き状態とが得られる。
【００１８】
第１の筐体１０２は、閉じ状態において、第２の筐体１０１と対向する表面１０２Ａに入力キー１２４および機能キー１２５を多数備えた操作部１２３が設けられている。
【００１９】
また、第２の筐体１０１は、閉じ状態において、第１の筐体１０２と対向する表面１０１Ａに表示部（ＬＣＤ）１２８が設けられている。
【００２０】
連結部１０３は、連結部本体１０３Ａと、第１のヒンジ部１１１と、第２のヒンジ部１１０とからなる。
【００２１】
第１のヒンジ部１１１は、第１の筐体１０２と連結部本体１０３Ａとを連結するとともに、第１の筐体１０２に対して連結部本体１０３Ａが回動するための支軸部材である。
【００２２】
第１のヒンジ部１１１は、その軸線が前述した第１回動軸１３１に沿って配置され、第１の筐体１０２の厚み方向に対して直交するとともに、第１の筐体１０２の短辺方向（幅方向）に沿って設けられている。
【００２３】
第２のヒンジ部１１０は、第２の筐体１０１と連結部本体１０３Ａとを連結するとともに、第１の筐体１０２および連結部本体１０３Ａに対して第２の筐体１０１が回動するための支軸としての部材とされている。
【００２４】
第２のヒンジ部１１０は、その軸線が前述した第２回動軸１３２に沿って配置され、第２の筐体１０１の厚み方向に対して直交するとともに、第２の筐体１０１の長辺方向（長手方向）に沿って設けられている。
【００２５】
第２のヒンジ部１１０は、一端部が連結部本体１０３Ａに連結され、他端部が第２の筐体１０１に連結されている。従って、第２の筐体１０１は、第２のヒンジ部１１０により片持ち支持されている。また、後述するが、第２の筐体内部の回路基板と第１の筐体内部の回路基板とを接続するための接続ケーブル１１３が、第２のヒンジ部１１０内部を通っている。
【００２６】
ここで、第１回動軸１３１および第２回動軸１３２は、携帯電話機１００が閉じ状態から縦開き状態あるいは横開き状態に移行する際の第１の筐体１０２および第２の筐体１０１の回転中心線の方向を指す。
【００２７】
具体的には、第１回動軸１３１は、第１の筐体１０２の厚み方向に対して直交するとともに第１の筐体１０２の短辺方向（幅方向）に沿う方向とされている。また、第２回動軸１３２は第２の筐体１０１の厚み方向に対して直交するとともに第２の筐体１０１の長辺方向（長手方向）に沿う方向とされている。これらの第１回動軸１３１および第２回動軸１３２は、互いに直交している。
【００２８】
なお、本実施形態において、第１のヒンジ部１１０および第２のヒンジ部１１１は、第１の筐体１０２に対する第２の筐体１０１および連結部１０３の回動、あるいは第１の筐体１０２および連結部１０３に対する第２の筐体１０１の回動に伴って、第１のヒンジ部１１０または第２のヒンジ部１１１が軸まわりに回転する。
【００２９】
また、第１の筐体１０２に対して第２の筐体１０１が第２のヒンジ部１１１を中心に回動する状態とは、閉じ状態から完全な横開き状態に至るまでの間を指し、第１の筐体１０２に対して第２の筐体１０１が回動中の第１の筐体１０２と第２の筐体１０１との間の挟み角度は問わない。
【００３０】
次に、図２〜図５を参照して、本実施形態の携帯電話機１００において、本実施形態の特徴のひとつであるアンテナ配置について、説明する。図２は、携帯電話機１００の各状態におけるアンテナ素子の配置例（１）を示す。図２（ａ）は、縦開き状態でのアンテナ素子の配置、図２（ｂ）は、閉じ状態でのアンテナ素子の配置、図２（ｃ）は、横開き状態でのアンテナ素子の配置を示す。
【００３１】
図２に示すように、第１の回路基板１０５は、第２のヒンジ部１１０内を通る基板接続ケーブル１１３により、第２の回路基板１０４と電気的に接続されている。
【００３２】
また、図２に示すように、第２の回路基板１０４の端部の第１のヒンジ部１１１側には、第２のアンテナ素子１０６が、給電点１０８を介して、第２の回路基板１０４に接続されている。同様に、第１の回路基板１０５の端部の連結部１０３から離間する側では、第１のアンテナ素子１０７が給電点１０９を介して、第１の回路基板１０５に接続されている。なお、図示していないが、各回路基板はその全面に亘ってグランドパターンが形成されている。
【００３３】
各アンテナ素子は、略Ｌ字状の形状を有している。なお、各アンテナ素子のグランドは、各アンテナ素子が接続されている回路基板のグランドパターンである。
【００３４】
図２（ａ）に示すように、携帯電話機１００が縦開きした状態では、第１のアンテナ素子１０７は、第１の筐体１０２内に設けられた第１の回路基板１０５において、第１のヒンジ部１１１及び第２のヒンジ部１１０から、第２のヒンジ部１１０の軸心である第２回動軸１３２の方向（図中、Ｙ軸）に離間した端部側で、第１の回路基板１０５に接続されている。一方、第２のアンテナ素子１０６は、第２の筐体１０１内に設けられた第２の回路基板１０４において、第１のヒンジ部１１１及び第２のヒンジ部１１０から、第２のヒンジ部１１０の軸心である第２回動軸１３２の方向（図中、Ｙ軸）で近接した端部側で、第２の回路基板１０４と接続されている。
【００３５】
図２（ｂ）は、携帯電話機１００が閉じた状態を示し、第２の回路基板１０４は、筐体の厚み方向（図２のＸ軸、Ｙ軸に垂直な方向）で第１の回路基板と重なっている。携帯電話機１００が閉じた状態では、図２（ａ）に示す縦開き状態と同様、第１のアンテナ素子１０７は、第１の筐体１０２内に設けられた第１の回路基板１０５において、第１のヒンジ部１１１及び第２のヒンジ部１１０から、第２のヒンジ部１１０の軸心である第２回動軸１３２の方向（図中、Ｙ軸）に離間した端部側で、第１の回路基板１０５に接続されている。一方、第２のアンテナ素子１０６は、第２の筐体１０１内に設けられた第２の回路基板１０４において、第１のヒンジ部１１１及び第２のヒンジ部１１０から、第２のヒンジ部１１０の軸心である第２回動軸１３２の方向（図中、Ｙ軸）で近接した端部側で、第２の回路基板１０４と接続されている。
【００３６】
図２（ｃ）は、携帯電話機１００が横開きした状態を示している。携帯電話機１００が横開きした状態では、図２（ａ）に示す縦開き状態と同様、第１のアンテナ素子１０７は、第１の筐体１０２内に設けられた第１の回路基板１０５において、第１のヒンジ部１１１及び第２のヒンジ部１１０から、第２のヒンジ部１１０の軸心である第２回動軸１３２の方向（図中、Ｙ軸）に離間した端部側で、第１の回路基板１０５に接続されている。一方、第２のアンテナ素子１０６は、第２の筐体１０１内に設けられた第２の回路基板１０４において、第１のヒンジ部１１１及び第２のヒンジ部１１０から、第２のヒンジ部１１０の軸心である第２回動軸１３２の方向（図中、Ｙ軸）で近接した端部側で、第２の回路基板１０４と接続されている。
【００３７】
図３は、携帯電話機１００の各状態におけるアンテナ素子の配置例（２）を示す。図３（ａ）は、縦開き状態でのアンテナ素子の配置、図３（ｂ）は、閉じ状態でのアンテナ素子の配置、図３（ｃ）は、横開き状態でのアンテナ素子の配置を示す。
【００３８】
図３に示すアンテナ素子の配置例（２）が、図２に示すアンテナ素子の配置例（１）と異なる点は、各アンテナ素子の配置位置であり、それ以外の構成についてはすべて同じである。
【００３９】
また、図３に示すように、第２の回路基板１０４の端部の第２のヒンジ部１１０側には、第２のアンテナ素子１０６が、給電点１０８を介して、第２の回路基板１０４に接続されている。同様に、第１の回路基板１０５の端部の連結部１０３から離間する側では、第１のアンテナ素子１０７が給電点１０９を介して、第１の回路基板１０５に接続されている。なお、図示していないが、各回路基板はその全面に亘ってグランドパターンが形成されている。
【００４０】
各アンテナ素子は略Ｌ字状の形状を有している。なお、各アンテナ素子のグランドは、各アンテナ素子が接続されている回路基板のグランドパターンである。
【００４１】
図３（ａ）に示すように、携帯電話機１００が縦開きした状態では、図２（ａ）と同様、第１のアンテナ素子１０７は、第１の筐体１０２内に設けられた第１の回路基板１０５において、第１のヒンジ部１１１及び第２のヒンジ部１１０から、第２のヒンジ部１１０の軸心である第２回動軸１３２の方向（図中、Ｙ軸）に離間した端部側で、第１の回路基板１０５に接続されている。一方、第２のアンテナ素子１０６は、第２の筐体１０１内に設けられた第２の回路基板１０４において、第１のヒンジ部１１１及び第２のヒンジ部１１０から、第２のヒンジ部１１０の軸心である第２回動軸１３２の方向（図中、Ｙ軸）で近接した端部側で、第２の回路基板１０４と接続されている。
【００４２】
図３（ｂ）に示すように、携帯電話機１００が閉じた状態では、図３（ａ）に示す縦開き状態と同様、第１のアンテナ素子１０７は、第１の筐体１０２内に設けられた第１の回路基板１０５において、第１のヒンジ部１１１及び第２のヒンジ部１１０から、第２のヒンジ部１１０の軸心である第２回動軸１３２の方向（図中、Ｙ軸）に離間した端部側で、第１の回路基板１０５に接続されている。一方、第２のアンテナ素子１０６は、第２の筐体１０１内に設けられた第２の回路基板１０４において、第１のヒンジ部１１１及び第２のヒンジ部１１０から、第２のヒンジ部１１０の軸心である第２回動軸１３２の方向（図中、Ｙ軸）で近接した端部側で、第２の回路基板１０４と接続されている。
【００４３】
図３（ｃ）に示すように、携帯電話機１００が横開きした状態では、図３（ａ）に示す縦開き状態と同様、第１のアンテナ素子１０７は、第１の筐体１０２内に設けられた第１の回路基板１０５において、第１のヒンジ部１１１及び第２のヒンジ部１１０から、第２のヒンジ部１１０の軸心である第２回動軸１３２の方向（図中、Ｙ軸）に離間した端部側で、第１の回路基板１０５に接続されている。一方、第２のアンテナ素子１０６は、第２の筐体１０１内に設けられた第２の回路基板１０４において、第１のヒンジ部１１１及び第２のヒンジ部１１０から、第２のヒンジ部１１０の軸心である第２回動軸１３２の方向（図中、Ｙ軸）で近接した端部側で、第２の回路基板１０４と接続されている。
【００４４】
図４は、携帯電話機１００の各状態におけるアンテナ素子の配置例（３）を示す。図４（ａ）は、縦開き状態でのアンテナ素子の配置、図４（ｂ）は、閉じ状態でのアンテナ素子の配置、図４（ｃ）は、横開き状態でのアンテナ素子の配置を示す。
【００４５】
図４に示すアンテナ素子の配置例（３）が、図２に示すアンテナ素子の配置例（１）と異なる点は、各アンテナ素子の配置位置であり、それ以外の構成についてはすべて同じである。
【００４６】
また、図４に示すように、第２の回路基板１０４の端部の第２のヒンジ部側１１０には、第２のアンテナ素子１０６が、給電点１０８を介して、第２の回路基板１０４に接続されている。同様に、第１の回路基板１０５の端部の連結部１０３から離間する側では、第１のアンテナ素子１０７が給電点１０９を介して、第１の回路基板１０５に接続されている。なお、図示していないが、各回路基板はその全面に亘ってグランドパターンが形成されている。
【００４７】
各アンテナ素子は、略Ｌ字状の形状を有している。なお、各アンテナ素子のグランドは、各アンテナ素子が接続されている回路基板のグランドパターンである。
【００４８】
図４（ａ）に示すように、携帯電話機１００が縦開きした状態では、図２（ａ）と同様、第１のアンテナ素子１０７は、第１の筐体１０２内に設けられた第１の回路基板１０５において、第１のヒンジ部１１１及び第２のヒンジ部１１０から、第２のヒンジ部１１０の軸心である第２回動軸１３２の方向（図中、Ｙ軸）に離間した端部側で、第１の回路基板１０５に接続されている。一方、第２のアンテナ素子１０６は、第２の筐体１０１内に設けられた第２の回路基板１０４において、第１のヒンジ部１１１及び第２のヒンジ部１１０から、第２のヒンジ部１１０の軸心である第２回動軸１３２の方向（図中、Ｙ軸）で近接した端部側で、第２の回路基板１０４と接続されている。
【００４９】
図４（ｂ）に示すように、携帯電話機１００が閉じた状態では、図４（ａ）に示す縦開き状態と同様、第１のアンテナ素子１０７は、第１の筐体１０２内に設けられた第１の回路基板１０５において、第１のヒンジ部１１１及び第２のヒンジ部１１０から、第２のヒンジ部１１０の軸心である第２回動軸１３２の方向（図中、Ｙ軸）に離間した端部側で、第１の回路基板１０５に接続されている。一方、第２のアンテナ素子１０６は、第２の筐体１０１内に設けられた第２の回路基板１０４において、第１のヒンジ部１１１及び第２のヒンジ部１１０から、第２のヒンジ部１１０の軸心である第２回動軸１３２の方向（図中、Ｙ軸）で近接した端部側で、第２の回路基板１０４と接続されている。
【００５０】
図４（ｃ）に示すように、携帯電話機１００が横開きした状態では、図４（ａ）に示す縦開き状態と同様、第１のアンテナ素子１０７は、第１の筐体１０２内に設けられた第１の回路基板１０５において、第１のヒンジ部１１１及び第２のヒンジ部１１０から、第２のヒンジ部１１０の軸心である第２回動軸１３２の方向（図中、Ｙ軸）に離間した端部側で、第１の回路基板１０５に接続されている。一方、第２のアンテナ素子１０６は、第２の筐体１０１内に設けられた第２の回路基板１０４において、第１のヒンジ部１１１及び第２のヒンジ部１１０から、第２のヒンジ部１１０の軸心である第２回動軸１３２の方向（図中、Ｙ軸）で近接した端部側で、第２の回路基板１０４と接続されている。
【００５１】
図５は、携帯電話機１００の各状態におけるアンテナ素子の配置例（４）を示す。図５（ａ）は、縦開き状態でのアンテナ素子の配置、図５（ｂ）は、閉じ状態でのアンテナ素子の配置、図５（ｃ）は、横開き状態でのアンテナ素子の配置を示す。
【００５２】
図５に示すアンテナ素子の配置例（４）が、図２に示すアンテナ素子の配置例（１）と異なる点は、各アンテナ素子の配置位置であり、それ以外の構成についてはすべて同じである。
【００５３】
また、図５に示すように、第２の回路基板１０４の端部の第２のヒンジ部１１０側には、第２のアンテナ素子１０６が、給電点１０８を介して、第２の回路基板１０４に接続されている。同様に、第１の回路基板１０５の端部の連結部１０３から離間する側では、第１のアンテナ素子１０７が給電点１０９を介して、第１の回路基板１０５に接続されている。なお、図示していないが、各回路基板はその全面に亘ってグランドパターンが形成されている。
【００５４】
各アンテナ素子は、略Ｌ字状の形状を有している。なお、各アンテナ素子のグランドは、各アンテナ素子が接続されている回路基板のグランドパターンである。
【００５５】
図５（ａ）に示すように、携帯電話機１００が縦開きした状態では、図２（ａ）と同様、第１のアンテナ素子１０７は、第１の筐体１０２内に設けられた第１の回路基板１０５において、第１のヒンジ部１１１及び第２のヒンジ部１１０から、第２のヒンジ部１１０の軸心である第２回動軸１３２の方向（図中、Ｙ軸）に離間した端部側で、第１の回路基板１０５に接続されている。一方、第２のアンテナ素子１０６は、第２の筐体１０１内に設けられた第２の回路基板１０４において、第１のヒンジ部１１１及び第２のヒンジ部１１０から、第２のヒンジ部１１０の軸心である第２回動軸１３２の方向（図中、Ｙ軸）で近接した端部側で、第２の回路基板１０４と接続されている。
【００５６】
図５（ｂ）に示すように、携帯電話機１００が閉じた状態では、図５（ａ）に示す縦開き状態と同様、第１のアンテナ素子１０７は、第１の筐体１０２内に設けられた第１の回路基板１０５において、第１のヒンジ部１１１及び第２のヒンジ部１１０から、第２のヒンジ部１１０の軸心である第２回動軸１３２の方向（図中、Ｙ軸）に離間した端部側で、第１の回路基板１０５に接続されている。一方、第２のアンテナ素子１０６は、第２の筐体１０１内に設けられた第２の回路基板１０４において、第１のヒンジ部１１１及び第２のヒンジ部１１０から、第２のヒンジ部１１０の軸心である第２回動軸１３２の方向（図中、Ｙ軸）で近接した端部側で、第２の回路基板１０４と接続されている。
【００５７】
図５（ｃ）に示すように、携帯電話機１００が横開きした状態では、図５（ａ）に示す縦開き状態と同様、第１のアンテナ素子１０７は、第１の筐体１０２内に設けられた第１の回路基板１０５において、第１のヒンジ部１１１及び第２のヒンジ部１１０から、第２のヒンジ部１１０の軸心である第２回動軸１３２の方向（図中、Ｙ軸）に離間した端部側で、第１の回路基板１０５に接続されている。一方、第２のアンテナ素子１０６は、第２の筐体１０１内に設けられた第２の回路基板１０４において、第１のヒンジ部１１１及び第２のヒンジ部１１０から、第２のヒンジ部１１０の軸心である第２回動軸１３２の方向（図中、Ｙ軸）で近接した端部側で、第２の回路基板１０４と接続されている。
【００５８】
本実施形態では、図２〜図５に示すアンテナ素子の配置例（１）〜（４）を参照して説明したように、携帯電話機１００の３つの状態（縦開き状態、閉じ状態、及び横開き状態）に依存せずに、第１のアンテナ素子と第２のアンテナ素子を十分離間して筐体内に配置することができる。そのため、本実施形態では、携帯電話機１００の状態に依存せず、アンテナ素子同士が低相関となり、高い空間ダイバーシチ効果を得ることが可能となる。
【００５９】
（変形例１）
次に、図６を参照して、本実施形態の変形例１について説明する。図６は、本実施形態の変形例１の携帯電話機２００において、アンテナ素子の配置例を示す図である。図６（ａ）は、縦開き状態でのアンテナ素子の配置、図６（ｂ）は、閉じ状態でのアンテナ素子の配置、図６（ｃ）は、横開き状態でのアンテナ素子の配置を示す。
【００６０】
図６に示す変形例１では、携帯電話機の３つの状態（縦開き状態、閉じ状態、及び横開き状態）に依存せずに、第１のアンテナ素子２０７と第２のアンテナ素子２０６を十分離間して、筐体内に配置することができるのに加えて、更に第１のアンテナ素子２０７と第２のアンテナ素子２０６の向きが互いに直交するように、アンテナ素子を配置している。そのため、図６に示す変形例１では、携帯電話機の状態に依存せず、アンテナ素子同士が低相関となり、高い空間ダイバーシチ効果を得ることが可能となるのに加えて、更に、アンテナ素子同士が直交することで偏波ダイバーシチ効果も得ることができる。
【００６１】
なお、図６に示す変形例１の携帯電話機２００において、本実施の形態の携帯電話機１００と異なる構成は、第１のアンテナ素子２０７と第２のアンテナ素子２０６であり、それ以外の構成はすべて同じである。
【００６２】
図６に示すように、第２の回路基板１０４の端部の第１のヒンジ部側には、第２のアンテナ素子２０６が、給電点１０８を介して、第２の回路基板１０４に接続されている。第２のアンテナ素子２０６は、略Ｌ字状に形成され、図６（ａ）に示す筐体の厚み方向とは垂直なＸＹ平面において、第２の筐体１０１内で、第２の回路基板１０４の端部の第１のヒンジ部側からＸ軸方向とは反対方向に延び、Ｙ軸方向に向けて屈曲してＹ軸方向に延出している。同様に、第１の回路基板１０５の端部の連結部１０３から離間する側では、第１のアンテナ素子２０７が給電点１０９を介して、第１の回路基板１０５に接続されている。第１のアンテナ素子２０７は、略Ｌ字状に形成され、第１の筐体１０２内で、第１の回路基板１０５の端部の連結部１０３から離間する側からＹ軸とは反対方向に延び、Ｘ軸方向に向けて屈曲してＸ軸方向に延出している。
【００６３】
したがって、図６（ａ）に示す筐体の厚み方向とは垂直なＸＹ平面において、先端がＹ軸方向に延出する第２のアンテナ素子２０６と、先端がＸ軸方向に延出する第１のアンテナ素子２０７とは、互いに直交する。そのため、アンテナ素子２０６、２０７同士が直交することで、アンテナ素子２０６、２０７同士が低相関となり偏波ダイバーシチ効果を得ることができる。なお、図示していないが、各回路基板はその全面に亘ってグランドパターンが形成されている。
【００６４】
図６（ａ）に示すように、携帯電話機２００が縦開きした状態では、第１のアンテナ素子２０７は、第１の筐体１０２内に設けられた第１の回路基板１０５において、第１のヒンジ部１１１及び第２のヒンジ部１１０から第２のヒンジ部１１０の軸心である第２回動軸１３２の方向（図中、Ｙ軸）に離間した端部側で、第１の回路基板１０５に接続されている。一方、第２のアンテナ素子２０６は、第２の筐体１０１内に設けられた第２の回路基板１０４において、第１のヒンジ部１１１及び第２のヒンジ部１１０から、第２のヒンジ部１１０の軸心である第２回動軸１３２の方向（図中、Ｙ軸）で近接した端部側で、第２の回路基板１０４と接続されている。
【００６５】
図６（ｂ）は、携帯電話機２００が閉じた状態を示し、第２の回路基板１０４は、筐体の厚み方向（図２のＸ軸、Ｙ軸に垂直な方向）で第１の回路基板１０５と重なっている。携帯電話機２００が閉じた状態では、図６（ａ）に示す縦開き状態と同様、第１のアンテナ素子２０７は、第１の筐体１０２内に設けられた第１の回路基板１０５において、第１のヒンジ部１１１及び第２のヒンジ部１１０から、第２のヒンジ部１１０の軸心である第２回動軸１３２の方向（図中、Ｙ軸）に離間した端部側で、第１の回路基板１０５に接続されている。一方、第２のアンテナ素子２０６は、第２の筐体１０１内に設けられた第２の回路基板１０４において、第１のヒンジ部１１１及び第２のヒンジ部１１０から、第２のヒンジ部１１０の軸心である第２回動軸１３２の方向（図中、Ｙ軸）で近接した端部側で、第２の回路基板１０４と接続されている。したがって、第１のアンテナ素子２０７と第２のアンテナ素子２０６を十分離間して筐体内に配置しているので、アンテナ素子２０６、２０７同士が低相関となり、高い空間ダイバーシチ効果を得ることが可能となる。
【００６６】
また、図６（ｂ）に示すように、携帯電話機２００が閉じた状態では、図６（ａ）に示す縦開き状態と同様、筐体の厚み方向とは垂直なＸＹ平面において、先端がＹ軸方向と反対方向に延出する第２のアンテナ素子２０６と、先端がＸ軸方向に延出する第１のアンテナ素子２０７とは、互いに直交する。そのため、アンテナ素子２０６、２０７同士が直交することで、アンテナ素子２０６、２０７同士が低相関となり偏波ダイバーシチ効果を得ることができる。
【００６７】
図６（ｃ）は、携帯電話機２００が横開きした状態を示している。携帯電話機２００が横開きした状態では、図６（ａ）に示す縦開き状態と同様、第１のアンテナ素子２０７は、第１の筐体１０２内に設けられた第１の回路基板１０５において、第１のヒンジ部１１１及び第２のヒンジ部１１０から、第２のヒンジ部１１０の軸心である第２回動軸１３２の方向（図中、Ｙ軸）に離間した端部側で、第１の回路基板１０５に接続されている。一方、第２のアンテナ素子２０６は、第２の筐体１０１内に設けられた第２の回路基板１０４において、第１のヒンジ部１１１及び第２のヒンジ部１１０から、第２のヒンジ部１１０の軸心である第２回動軸１３２の方向（図中、Ｙ軸）で近接した端部側で、第２の回路基板１０４と接続されている。したがって、第１のアンテナ素子２０７と第２のアンテナ素子２０６を十分離間して筐体内に配置しているので、アンテナ素子２０６、２０７同士が低相関となり、高い空間ダイバーシチ効果を得ることが可能となる。
【００６８】
また、図６（ｃ）に示すように、携帯電話機２００が横開きした状態では、図６（ａ）に示す縦開き状態と同様、筐体の厚み方向とは垂直なＸＹ平面において、先端がＹ軸方向と反対方向に延出する第２のアンテナ素子２０６と、先端がＸ軸方向に延出する第１のアンテナ素子２０７とは、互いに直交する。そのため、アンテナ素子２０６、２０７同士が直交することで、アンテナ素子２０６、２０７同士が低相関となり偏波ダイバーシチ効果を得ることができる。
【００６９】
上述のように、図６に示す変形例１では、携帯電話機２００の３つの状態（縦開き状態、閉じ状態、及び横開き状態）に依存せずに、第１のアンテナ素子２０７と第２のアンテナ素子２０６を十分離間して、筐体内に配置することができる。さらに、携帯電話機２００の３つの状態（縦開き状態、閉じ状態、及び横開き状態）に依存せずに、第１のアンテナ素子２０７と第２のアンテナ素子２０６の向きが互いに直交するように、アンテナ素子を配置している。そのため、図６に示す変形例１では、携帯電話機２００の状態に依存せず、アンテナ素子同士が直交することで、アンテナ素子同士が低相関となり、偏波ダイバーシチ効果も得ることができる。
【００７０】
（変形例２）
次に、図７を参照して、本実施形態の変形例２について説明する。図７は、本実施形態の変形例２の携帯電話機３００において、アンテナ素子の配置例を示す図である。図７（ａ）は、縦開き状態でのアンテナ素子の配置、図７（ｂ）は、閉じ状態でのアンテナ素子の配置、図７（ｃ）は、横開き状態でのアンテナ素子の配置を示す。
【００７１】
図７に示す本実施形態の変形例２の携帯電話機３００では、第１の回路基板３０７の端部に位置する第１の給電部１０９から延出する給電経路３１３が、導電性である第１のヒンジ部３１１及び第２のヒンジ部３１０を介して、第２の回路基板１０４又は筐体２内の金属物３１２（例えばインサート板金）まで延びている。つまり、第１の筐体１０２の第１の回路基板３０７のグランドパターンが、下側アンテナ素子を構成し、第１のヒンジ部１１１（導電性）及び第２のヒンジ部１１０（導電性）、第２の筐体１０１の回路基板又は筐体２内の金属物３１２（例えばインサート板金）が、上側アンテナ素子を構成するダイポールアンテナを形成する。そのため、筐体全体をアンテナとして利用することで、携帯電話機３００の体積を最大限利用することができ、外部アンテナ無しで高いアンテナ性能を実現できる。さらに、外部アンテナを設ける場合と比べてコストの削減を実現できる。
また、図７に示すように、第２の回路基板１０４の端部の連結部１０３から離間する側では、アンテナ素子３０６が給電部１０８を介して、第２の回路基板１０４に接続されている。アンテナ素子３０６は、略Ｌ字状の形状を有している。なお、アンテナ素子３０６のグランドは、回路基板１０４のグランドパターンである。
【００７２】
図７（ａ）に示すように、携帯電話機３００が縦開きした状態では、上述したダイポールアンテナの給電部１０９は、第１の筐体１０２内に設けられた第１の回路基板３０７において、第１のヒンジ部１１１及び第２のヒンジ部１１０から第２のヒンジ部１１０の軸心である第２回動軸１３２の方向（図中、Ｙ軸）で近接した端部側で、第１の回路基板３０７に接続されている。一方、アンテナ素子３０６の給電部１０８は、第２の筐体１０１内に設けられた第２の回路基板１０４において、第１のヒンジ部１１１及び第２のヒンジ部１１０から、第２のヒンジ部１１０の軸心である第２回動軸１３２の方向（図中、Ｙ軸）に離間した端部側で、第２の回路基板１０４と接続されている。
【００７３】
図７（ｂ）は、携帯電話機３００が閉じた状態を示し、第２の回路基板１０４は、筐体の厚み方向（図２のＸ軸、Ｙ軸に垂直な方向）で第１の回路基板３０７と重なっている。携帯電話機３００が閉じた状態では、図７（ａ）に示す縦開き状態と同様、上述したダイポールアンテナの給電部１０９は、第１の筐体１０２内に設けられた第１の回路基板３０７において、第１のヒンジ部１１１及び第２のヒンジ部１１０から、第２のヒンジ部１１０の軸心である第２回動軸１３２の方向（図中、Ｙ軸）で近接した端部側で、第１の回路基板３０７に接続されている。一方、アンテナ素子３０６の給電部１０８は、第２の筐体１０１内に設けられた第２の回路基板１０４において、第１のヒンジ部１１１及び第２のヒンジ部１１０から、第２のヒンジ部１１０の軸心である第２回動軸１３２の方向（図中、Ｙ軸）に離間した端部側で、第２の回路基板１０４と接続されている。
【００７４】
図７（ｃ）は、携帯電話機３００が横開きした状態を示している。携帯電話機３００が横開きした状態では、図７（ａ）に示す縦開き状態と同様、上述したダイポールアンテナの給電部１０９は、第１の筐体１０２内に設けられた第１の回路基板３０７において、第１のヒンジ部１１１及び第２のヒンジ部１１０から、第２のヒンジ部１１０の軸心である第２回動軸１３２の方向（図中、Ｙ軸）で近接した端部側で、第１の回路基板３０７に接続されている。一方、アンテナ素子３０６の給電部１０８は、第２の筐体１０１内に設けられた第２の回路基板１０４において、第１のヒンジ部１１１及び第２のヒンジ部１１０から、第２のヒンジ部１１０の軸心である第２回動軸１３２の方向（図中、Ｙ軸）に離間した端部側で、第２の回路基板１０４と接続されている。
【００７５】
上述のように、図７に示す変形例２では、携帯電話機３００の３つの状態（縦開き状態、閉じ状態、及び横開き状態）に依存せずに、上述したダイポールアンテナの給電部１０９とアンテナ素子３０６の給電部１０８を十分離間して、筐体内に配置することができる。そのため、図７に示す変形例２では、携帯電話機３００の状態に依存せず、アンテナ素子同士が低相関となり、高い空間ダイバーシチ効果を得ることが可能となるのに加えて、筐体全体をアンテナとして利用することで、携帯電話機３００の体積を最大限利用することができ、外部アンテナ無しで高いアンテナ性能を実現できる。さらに、外部アンテナを設ける場合と比べてコストの削減を実現できる。
【００７６】
なお、上述した実施形態では、第２のヒンジ部１１０が、第１回動軸１３１の方向（図中、Ｘ軸）の一方の端部（＋Ｘ側）、すなわち、第１の筐体１０２および第２の筐体１０１の短辺方向（幅方向）の一方の端部に設けられた場合について記載したが、例えば第２のヒンジ部１１０が幅方向の略中央部に設けられた場合であっても、携帯電話機の３つの状態（縦開き状態、通常の閉じ状態、表示部１２８を目視できる閉じ状態）に依存せずに同様の効果が得られる。
【００７７】
（変形例３）
次に、図８を参照して、本実施形態の変形例３について説明する。図８は、本実施形態の変形例３の携帯電話機４００において、アンテナ素子の配置例を示す図である。図８（ａ）は、縦開き状態でのアンテナ素子の配置、図８（ｂ）は、閉じ状態でのアンテナ素子の配置、図８（ｃ）は、横開き状態でのアンテナ素子の配置を示す。
【００７８】
図８に示すアンテナ素子の配置例が、図２に示すアンテナ素子の配置例（１）と異なる点は、各アンテナ素子の配置位置であり、それ以外の構成についてはすべて同じである。
【００７９】
また、図８に示すように、第２の回路基板１０４の第１回動軸１３１と直交する辺のうち第２のヒンジ部１１０から第１回動軸１３１の方向（図中Ｘ軸）で離間した側には、第２のアンテナ素子４０６が、給電点４０８を介して、第２の回路基板１０４に接続されている。同様に、第１の回路基板１０５の第１回動軸１３１と直交する辺のうち第２のヒンジ部１１０から第１回動軸１３１の方向（図中Ｘ軸）で近接した側には、第１のアンテナ素子４０７が給電点４０９を介して、第１の回路基板１０５に接続されている。なお、図示していないが、各回路基板はその全面に亘ってグランドパターンが形成されている。
【００８０】
各アンテナ素子は、略Ｌ字状の形状を有している。なお、各アンテナ素子のグランドは、各アンテナ素子が接続されている回路基板のグランドパターンである。
【００８１】
図８（ａ）、図８（ｂ）および図８（ｃ）に示すように、給電点４０８と給電点４０９が最近接するのは図８（ｂ）の携帯電話機４００が閉じた状態であり、このとき、少なくとも第１の回路基板１０５または第２の回路基板１０４の短辺方向（幅方向）では給電点４０８と給電点４０９が離間する。すなわち、第１のアンテナ素子４０７と第２のアンテナ素子４０６が離間する。
【００８２】
上述のように、図８に示す変形例３では、携帯電話機４００の３つの状態（縦開き状態、閉じ状態、及び横開き状態）に依存せずに、第１のアンテナ素子４０７と第２のアンテナ素子４０６を離間して、筐体内に配置することができる。そのため、図８に示す変形例３では、携帯電話機４００の状態に依存せず、アンテナ素子同士が低相関となり、高い空間ダイバーシチ効果を得ることができる。
【００８３】
なお、上述した本実施形態に係る携帯電話機の各アンテナ素子は、例えば、携帯電話機のひとつの機能としてデジタルテレビ（ＤＴＶ）の電波を受信する場合に、高いアンテナ性能を発揮することが可能である。この場合、ダイバーシチ無線部を、第１の筐体１０２及び第２の筐体１０１のうち、いずれか一方の回路基板に配置し、両回路基板間を同軸ケーブルで接続して、他方の回路基板のアンテナ素子に給電する。
【００８４】
なお、本実施形態の携帯無線機の一例として、携帯電話機について、詳細に説明したが、本発明に係る携帯無線機は、携帯電話機以外にも適用できる。例えば、無線ＬＡＮで通信可能な携帯無線端末にも適用可能である。
【産業上の利用可能性】
【００８５】
本発明に係る携帯無線機は、高い空間ダイバーシチ効果を得ることができるという効果を有し、携帯電話機等として有用である。
【符号の説明】
【００８６】
１００、２００、３００、４００  携帯電話機
１０１                          第２の筐体
１０２                          第１の筐体
１０３                          連結部
１０３Ａ                        連結部本体
１０４                          第２の回路基板
１０５、３０７                  第１の回路基板
１０６、２０６、４０６          第２のアンテナ素子
１０７、２０７、４０７          第１のアンテナ素子
３０６                          アンテナ素子
１０８、４０８                  第２の給電部
１０９、４０９                  第１の給電部
１１０                          第２のヒンジ部
１１１                          第１のヒンジ部
１１３                          基板接続ケーブル
１２３                          操作部
１２４                          入力キー
１２５                          機能キー
１２８                          表示部（ＬＣＤ）
１３１                          第１回動軸
１３２                          第２回動軸
３１２                          インサート板金
３１３                          給電経路
【図１】
2010273332.tif 000003
【図２】
2010273332.tif 000004
【図３】
2010273332.tif 000005
【図４】
2010273332.tif 000006
【図５】
2010273332.tif 000007
【図６】
2010273332.tif 000008
【図７】
2010273332.tif 000009
【図８】
2010273332.tif 000010